(57)【要約】【課題】家庭用ミシンの布地送り台に対して簡単且つ容易に固定することができ、所望する縫い方に応じたタイプのアタッチメントに交換するだけで、一つの家庭用ミシンを様々な縫製作業に用いることができるミシンのアタッチメント取付け具を提供する。【解決手段】アタッチメント取付け具１の取付け部材２を、家庭用ミシンＣの布地送り台Ｃａ上面に対して跨ぐ状態に取付け、一対の押付け部２ｂ，２ｃを、布地送り台Ｃａの前面部及び後面部に押付けて挟持固定した後、支持部材３，４を布地送り方向と略平行する方向に移動及び回動させ、布地Ａ，Ｂを針落ち位置に向けてスムースに供給されるように幅寄せガイド５で幅寄せする。且つ、アタッチメントである四つ折りガイド６及び三つ巻きガイド７、筒巻きガイド８の中から、所望する縫い方に応じたタイプのアタッチメントを一つ選択して支持部材４に取付け、針落ち位置に供給される布地Ａを、アタッチメントで所望する縫い方（四つ折り状態や三つ巻き状態、筒巻き状態）にガイドする。【選択図】  図１
2005118078.tif 000002
【特許請求の範囲】
【請求項１】
家庭用ミシンの布地送り台上面に取付けられる取付け部材を、該布地送り台上面に沿って取付け可能な形状に設け、
上記布地送り台及び取付け部材を一体的に固定する固定手段を、該布地送り台上面に取付けられる取付け部材側に設け、
上記針落ち位置に供給される布地を所望する縫い方にガイドするアタッチメントを、上記取付け部材に取付けられる支持部材の遊端部に対して上記針落ち位置に向けて設けた
ミシンのアタッチメント取付け具。
【請求項２】
上記固定手段を、上記布地送り台の前面部及び後面部に対して押付けられる方向に移動調節可能な一対の押付け部を、該布地送り台上面に沿って跨ぐ状態に取付けられる取付け部の両端部に設けて構成した
請求項１記載のミシンのアタッチメント取付け具。
【請求項３】
上記アタッチメントを、上記布地が所望する縫い方にガイドされる複数タイプのアタッチメントで構成して、該各アタッチメントの中から選択した一つのアタッチメントに交換可能に設けた
請求項１記載のミシンのアタッチメント取付け具。
【請求項４】
上記支持部材を、上記布地送り方向と略平行及び略直交する方向に移動可能に設けた
請求項１記載のミシンのアタッチメント取付け具。
【請求項５】
上記針落ち位置に向けてスムースに供給されるように上記布地を幅寄せする幅寄せガイドを、上記支持部材の遊端部に対して上記針落ち位置に向けて取付けた
請求項１記載のミシンのアタッチメント取付け具。
【発明の詳細な説明】
【技術分野】
【０００１】
この発明は、例えば四つ折り縫いや三つ巻き縫い、筒巻き縫い、ステッチ縫い、縁かがり縫い等の縫製作業に用いられる様々なタイプのアタッチメントを、持ち運び可能な家庭用ミシンに取付けることができるミシンのアタッチメント取付け具に関する。
【背景技術】
【０００２】
従来、上述例の縫製作業にアタッチメント取付け具としては、例えば帯状の布地を、工業用ミシンの作業台上面に固定された筒状のガイド部材に挿入し、ガイド部材から繰り出される四つ折り状態の布地を、針落ち位置に供給される布地の縁部が覆われるようにガイドする特許文献１のアタッチメント取付け具がある。
【０００３】
しかし、上述のアタッチメント取付け具を家庭用ミシンの布地送り台に固定する場合、取付け具を固定するための孔部を、家庭用ミシンの布地送り台や針板に設けるか、取付け可能な構造に設計変更しなければならず、家庭用ミシンのデザイン性及び体裁が悪くなるだけでなく、アタッチメント取付け具の着脱作業に手間及び時間が掛かるという問題点を有している。
【０００４】
【特許文献１】特開平１０-９９５７６号公報。
【発明の開示】
【発明が解決しようとする課題】
【０００５】
この発明は上記問題に鑑み、様々なタイプのアタッチメントが取付けられるアタッチメント取付け具を、該取付け具側に設けた固定手段で家庭用ミシンの布地送り台に対して着脱可能に固定することにより、所望する縫い方に応じたタイプのアタッチメントに交換するだけで、一つの家庭用ミシンを、様々な縫製作業に用いることができるミシンのアタッチメント取付け具の提供を目的とする。
【課題を解決するための手段】
【０００６】
この発明は、家庭用ミシンの布地送り台上面に取付けられる取付け部材を、該布地送り台上面に沿って取付け可能な形状に設け、上記布地送り台及び取付け部材を一体的に固定する固定手段を、該布地送り台上面に取付けられる取付け部材側に設け、上記針落ち位置に供給される布地を所望する縫い方にガイドするアタッチメントを、上記取付け部材に取付けられる支持部材の遊端部に対して上記針落ち位置に向けて設けたミシンのアタッチメント取付け具であることを特徴とする。
【０００７】
上述のアタッチメントは、例えば四つ折り縫いや三つ巻き縫い、筒巻き縫い、ステッチ縫い、縁かがり縫い等の縫製作業に用いられる様々なタイプのガイドで構成され、実施例では、四つ折りガイドや三つ巻きガイド、筒巻きガイド等をアタッチメントとして例示しているが、その他のアタッチメントで構成することもできる。また、取付け具を固定する固定手段は、例えば家庭用ミシンの布地送り台を一対の押付け部で挟持する挟持方法やマグネットに励磁された磁力で吸着固定する方法、吸着パッドの吸着面に発生する負圧で吸着固定する方法、バンドや紐等で締付け固定する方法等で構成することができる。
【０００８】
つまり、アタッチメント取付け具の取付け部材を、家庭用ミシンの布地送り台上面に沿う状態に取付け、その取付け部材側に設けた固定手段で布地送り台上面に固定した後、支持部材に取付けたアタッチメントを、針落ち位置に供給される布地の縁部及び家庭用ミシンの押え金に近接するか、離間する等して可変調節する。且つ、複数タイプのアタッチメントの中から、所望する縫い方に応じたタイプのアタッチメントを選択して支持部材に取付け、針落ち位置に供給される布地を、支持部材に取付けたアタッチメントで所望する縫い方（四つ折り状態や三つ巻き状態、筒巻き状態）にガイドする。
【０００９】
実施の形態として、上記固定手段を、上記布地送り台の前面部及び後面部に対して押付けられる方向に移動調節可能な一対の押付け部を、該布地送り台上面に沿って跨ぐ状態に取付けられる取付け部の両端部に設けて構成することができる。また、上記アタッチメントを、上記布地が所望する縫い方にガイドされる複数タイプのアタッチメント（実施例の四つ折りガイド６及び三つ巻きガイド７、筒巻きガイド８等）で構成して、該各アタッチメントの中から選択した一つのアタッチメントに交換可能に設けることができる。また、上記支持部材を、上記布地送り方向と略平行及び略直交する方向に移動可能に設けて構成することができる。また、上記針落ち位置に向けてスムースに供給されるように上記布地を幅寄せする幅寄せガイドを、上記支持部材の遊端部に対して上記針落ち位置に向けて取付けて構成することができる。
【発明の効果】
【００１０】
この発明によれば、様々なタイプのアタッチメントが取付けられるアタッチメント取付け具を、該取付け具側に設けた固定手段で家庭用ミシンの布地送り台に対して着脱可能に固定するので、アタッチメント取付け具を固定するための孔部を布地送り台や針板に設けるか、取付け可能な構造に設計変更する必要が無く、アタッチメント取付け具の着脱作業が簡単且つ容易に行える。且つ、複数タイプのアタッチメントの中から、所望する縫い方に応じたタイプのアタッチメントを選択して交換するので、一つの家庭用ミシンを、例えば四つ折り縫いや三つ巻き縫い、筒巻き縫い、ステッチ縫い、縁かがり縫い等の様々な縫製作業に用いることができる。
【発明を実施するための最良の形態】
【００１１】
この発明は、所望する縫い方に応じたタイプのアタッチメントに交換するだけで、一つの家庭用ミシンを様々な縫製作業に用いることができるという目的を、アタッチメント取付け具を、該取付け具側に設けた固定手段で家庭用ミシンの布地送り台に対して着脱可能に固定することで実現した。
【実施例】
【００１２】
この発明の一実施例を以下図面に基づいて詳述する。
【００１３】
図面は、様々な縫い方に用いられるアタッチメントを、家庭用ミシンＣに取付けるときに用いられるミシンのアタッチメント取付け具を示し、図１、図２に示すように、このミシンのアタッチメント取付け具１は、所望する場所に持ち運び可能な家庭用ミシンＣの布地送り台Ｃａ上面に固定された針板Ｃｂ上の針落ち位置側部に取付けられる取付け部材２と、取付け部材２の中央部上面に対して布地送り方向と略平行する方向に移動可能に取付けられた支持部材３と、支持部材３の先端部に対して布地送り方向と略直交する方向に移動可能に取付けられた支持部材４と、支持部材３の先端部に対して布地送り方向と略直交する方向に移動可能に取付けられた幅寄せガイド５と、支持部材４側部に対して交換可能に取付けられる四つ折りガイド６及び三つ巻きガイド７、筒巻きガイド８とで構成される。
【００１４】
上述の取付け部材２は、家庭用ミシンＣの布地送り台Ｃａ上面に沿って跨ぐ状態に取付け可能な略門形状の台本体２ａを、布地送り台Ｃａの横幅よりも長尺に形成し、布地送り台Ｃａの前面部（作業側）に当接又は押付けられる押付け部２ｂを、台本体２ａの一端側を下方に折曲げて形成し、布地送り台Ｃａの後面部に当接又は押付けられる押付け部２ｃを、押付け部２ｂと対向する向き及び姿勢に規制して台本体３ａの他端側を下方に折曲げて形成した折曲げ部２ｄに取付けている。
【００１５】
且つ、回動部材２ｆに突設したネジ部２ｇを、折曲げ部２ｄに形成したネジ孔２ｅに螺合し、押付け部２ｂと対向する側に突出したネジ部２ｇ先端を、角度可変自在なジョイント構造を介して押付け部２ｃの後面側中央部に連結し、押付け部２ｂ，２ｃの挟持間隔を布地送り台Ｃａの横幅に応じて拡縮調節可能に設けている。つまり、回動部材２ｆを正逆方向に回動操作して、押付け部２ｃを押付け部２ｂと対向する方向に進退移動させ、一対の押付け部２ｂ，２ｃの対向面間を、布地送り台Ｃａの前面部及び後面部に押付けられる挟持間隔と、その押付けが解除される解除間隔とに拡縮調節する。また、ネジ部２ｇの代わりに、例えばコイルスプリングや合成ゴム等の弾性体で押付け方向に付勢することもできる。
【００１６】
且つ、布地送り台Ｃａの前面部及び後面部に沿う状態に変位可能な柔軟性と、取付け具全体の固定状態を維持するのに必要なグリップ力及び接触抵抗とを有する例えばウレタンゴムやスポンジゴム等の滑り止め部材２ｈを、押付け部２ｂ，２ｃの押付け面に相対向して装着している。なお、一対の押付け部２ｂ，２ｃの代わりに、例えば取付け部材２を、マグネットに励磁された磁力で布地送り台Ｃａ吸着固定するか、吸着パッドの吸着面に発生する負圧で吸着固定するか、バンドや紐等で締付け固定する等してもよい。
【００１７】
前述の支持部材３は、ネジ部材３ｄ，３ｄを、アーム本体３ａの基端側上面に形成した布地送り方向と略平行する長孔３ｂを介して、取付け部材２の台本体２ａの中央部上面に形成したネジ孔２ｉ，２ｉに螺合し、支持部材３全体を、布地送り方向と略平行する方向に移動可能に取付けている。且つ、ネジ部材３ｄ，３ｄによる締付け固定を解除して、支持部材３全体と、支持部材３に取付けられた幅寄せガイド５及び四つ折りガイド６とを、針落ち位置に供給される布地Ａ，Ｂの縁部に沿って布地送り方向と略平行する方向に移動させ、その幅寄せガイド５の先端側ガイド部５ｃ及び四つ折りガイド６の先端側出口部を針落ち位置に対して所望する間隔に近接するか、離間する等して可変調節した後、支持部材３全体を、ネジ部材３ｄ，３ｄで所望する移動位置に締付け固定する。
【００１８】
前述の支持部材４は、ネジ部材４ｄ，４ｄを、アーム本体３ａの遊端側上面に形成した布地送り方向と略平行する長孔３ｃを介して、プレート本体４ａの基端側上面に形成したネジ孔４ｂ，４ｂに螺合し、支持部材４全体を、針落ち位置に供給される布地Ａ，Ｂの縁部と対向及び布地送り方向と略直交する方向に移動可能に取付けている。且つ、ネジ部材４ｄ，４ｄによる締付け固定を解除して、支持部材４全体と、支持部材４に取付けられた幅寄せガイド５及び四つ折りガイド６とを、針落ち位置に供給される布地Ａ，Ｂの縁部と対向及び布地送り方向と略直交する方向に移動させ、幅寄せガイド５の先端側ガイド部５ｃ及び四つ折りガイド６の先端側出口部を、針落ち位置に供給される布地Ｂの縁部に対して所望する間隔に近接及び家庭用ミシンＣの押え金Ｃｃに近接するか、離間する等して可変調節した後、支持部材４全体を、ネジ部材４ｄ，４ｄで所望する移動位置に締付け固定する。
【００１９】
前述の幅寄せガイド５は、ネジ部材５ｄ，５ｄを、ガイド本体５ａの基端側上面に形成した布地送り方向と略直交する長孔５ｂを介して、針落ち位置に近接される支持部材４のプレート本体４ａの遊端側上面に形成したネジ孔４ｃ，４ｃに螺合し、幅寄せガイド５全体を、針落ち位置に供給される布地Ａ，Ｂの縁部と対向及び布地送り方向と略直交する方向に移動可能に取付けている。且つ、針落ち位置に供給される布地Ａ，Ｂの縁部に近接及び押し当てられる略上下逆Ｕ字状のガイド部５ｃを、ガイド本体５ａの遊端側に折曲げ形成している。
【００２０】
且つ、ネジ部材５ｄ，５ｄによる締付け固定を解除して、幅寄せガイド５全体を、針落ち位置に供給される布地Ａ，Ｂの縁部と対向及び布地送り方向と略直交する方向に移動させ、幅寄せガイド５のガイド部５ｃを針落ち位置に供給される布地Ａ，Ｂの縁部に沿う状態に近接するか、離間する等して、布地Ａ，Ｂの縁部の縫製幅に応じて、その縁部が針落ち位置に向けてスムースに供給される位置に移動調節した後、幅寄せガイド５全体を、ネジ部材５ｄ，５ｄで所望する移動位置に締付け固定する。
【００２１】
前述の四つ折りガイド６は、図３、図４にも示すように、ネジ部材６ｃを、支持板６ａの基端部に形成した孔部６ｂを介して、支持部材３側部に突出する支持部材４の支持部４ｅ上面に形成したネジ孔４ｆに螺合し、四つ折りガイド６全体を、ネジ部材１２を中心として所望する角度に水平回動自在に取付けている。且つ、支持板６ａの基端部を、ネジ部材６ｃに装着したコイルスプリング６ｄ（又は板バネや合成ゴム等）の復元力で支持部材４の支持部４ｅ上面に押付け、四つ折りガイド６全体を、所望する角度に水平回動調節した状態を維持するのに必要な接触抵抗及び回動抵抗を付与する。
【００２２】
且つ、四つ折りガイド６全体を、ネジ部材６ｃを中心として所望する角度に水平回動させ、四つ折りガイド６の先端側出口部から繰り出される帯状の布地Ａ（略直線縁部や略曲線縁部）が針落ち位置に向けてスムースに供給されるような角度に回動調節する。また、ネジ部材６ｃを正逆方向に回動操作して、四つ折りガイド６を回動固定するコイルスプリング６ｄの圧縮具合を強弱に可変調節するか、ネジ部材６ｃの締付け力のみで所望する角度に回動固定することもできる。
【００２３】
且つ、針落ち位置に供給される帯状の布地Ａを四つ折り状態に折り込むための折り込み部６ｅを、支持板６ａの遊端側上面に設け、布地Ａの両側縁部が内側に向けて折り込まれる形状に形成した折り込み溝６ｆを、折り込み板６ｇの折り込み面に沿って設け、その折り込み溝６ｆを、布地Ａが挿入（又は差込み）される入口部から、所望の折り込み幅に折り込まれた布地Ａが繰り出される出口部に向けて徐々に狭くなるような略ラッパ形状に形成している。
【００２４】
前述の三つ巻きガイド７は、図５及び図６に示すように、針落ち位置に供給される布地Ａの縁部を三つ巻きする巻回部７ｅを、支持板７ａの遊端側上面に設け、布地Ａの縁部が布地送り方向と略直交する方向に向けて巻回される形状に形成した巻回溝７ｆを、内側折曲げ板７ｇと外側折曲げ板７ｈとの対向面間に設け、その巻回溝７ｆを、布地Ａの縁部が挿入（又は差込み）される入口部から、所望の巻回幅に巻回された布地Ａの縁部が繰り出される出口部に向けて徐々に狭くなるような略ラッパ形状に形成している。
【００２５】
前述の筒巻きガイド８は、図７及び図８に示すように、針落ち位置に供給される帯状の布地Ａを略筒状に巻回する巻回部８ｅを、支持板８ａの遊端側上面に設け、布地Ａが幅方向に向けて所望の巻回径に巻回される形状に形成した巻回溝８ｆを、内側筒体８ｇと外側筒体８ｈとの対向周面間に設け、その巻回溝８ｆを、布地Ａが挿入（又は差込み）される入口部から、所望の巻回径に巻回された略筒状の布地Ａが繰り出される出口部に向けて略同径となる略円筒形状に形成している。
【００２６】
且つ、ミシン針が挿入される針孔８ｉを、針落ち位置に近い外側筒体８ｈの出口側近傍に設け、内側筒体８ｇを、繊維状又は綿状の芯素材が挿入許容される内径に形成して、その芯素材を、筒巻き縫いされる布地Ａ内部に縫い込むこともできる。なお、上述の支持板７ａ，８ａは、前述の支持板６ａと同様にして支持部材４の支持部４ｅに取付けられるので、その支持板６ａと同一構成の部分は同一の符号を記してその詳細な説明を省略する。
【００２７】
図示実施例は上記の如く構成するものにして、以下、家庭用ミシンＣに取付けたアタッチメント取付け具１により布地Ａを四つ折り縫い及び三つ巻き縫い、筒巻き縫いする方法を説明する。
【００２８】
先ず、所望する縫い方にガイドする四つ折りガイド６及び三つ巻きガイド７、筒巻きガイド８の中から、所望する縫い方に応じたタイプのアタッチメントを一つ選択して、アタッチメント取付け具１の支持部材４に取付ける。
【００２９】
次に、図１、図２に示すように、アタッチメント取付け具１の取付け部材２を、家庭用ミシンＣの布地送り台Ｃａ上面に対して跨ぐ状態に取付け、一対の押付け部２ｂ，２ｃを、布地送り台Ｃａの前面部及び後面部に押付けて挟持固定した後（又は固定する前）、支持部材３，４を、針落ち位置に供給される布地Ｂの縁部と対向及び布地送り方向と略直交する方向に移動させ、幅寄せガイド５のガイド部５ｃ及び四つ折りガイド６の先端側出口部を、針落ち位置に供給される布地Ｂの縁部に対して所望する間隔に近接及び家庭用ミシンＣの押え金Ｃｃに近接する。
【００３０】
且つ、幅寄せガイド５を、針落ち位置に供給される布地Ｂの縁部と対向及び布地送り方向と略直交する方向に移動させ、四つ折りガイド６の折り込み溝６ｆ出口部から繰り出される四つ折り状態の布地Ａと、その布地Ａが被覆される布地Ｂの縁部とを針落ち位置に向けてスムースに供給されるように幅寄せする。
【００３１】
次に、帯状の布地Ａを四つ折り状態に折り込みながら、針落ち位置に供給される布地Ｂの縁部が覆われるように縫い付ける場合、図３に示すように、帯状の布地Ａを、四つ折りガイド６の折り込み溝６ｆに挿入（又は差込み）し、ミシンＣを駆動して、四つ折りガイド６の折り込み溝６ｆから繰り出される四つ折り状態の布地Ａを、図４に示すように、針板Ｃｂ上の針落ち位置に供給される布地Ｂの縁部に沿って布地送り方向に連続して被覆する。且つ、四つ折り状態の布地Ａと、その布地Ａが被覆された布地Ｂの縁部とを押え金Ｃｃで押えながら、送り歯（図示省略）の送り運動により布地送り方向に移送し、その送り動作に連動してミシン針Ｃｄを上下動させ、四つ折り状態の布地Ａと、その布地Ａが被覆された布地Ｂの縁部とを長さ方向に沿って一体的に縫い付ける。
【００３２】
次に、布地Ａの縁部を三つ巻き縫いする場合、図５及び図６に示すように、ネジ部材６ｃ及びコイルスプリング６ｄを支持部材４の支持部４ｅから分離して、四つ折りガイド６を取り外した後、三つ巻きガイド７に着脱交換して、針落ち位置に供給される布地Ａを、布地送り方向と略直交する方向に巻回しながら三つ巻き状態に縫い付ける。また、針落ち位置に供給される布地Ｂの縁部が覆われるように縫い付ける。
【００３３】
次に、布地Ａを筒巻き縫いする場合、図７及び図８に示すように、ネジ部材６ｃ及びコイルスプリング６ｄを支持部材４の支持部４ｅから分離して、四つ折りガイド６を取り外した後、筒巻きガイド８に着脱交換して、針落ち位置に供給される布地Ａを幅方向に巻回して筒状に巻き縫いする。また、繊維状又は綿状の芯素材を、筒巻き縫いされる布地Ａ内部に縫い込むこともできる。
【００３４】
また、アタッチメント取付け具１を家庭用ミシンＣの布地送り台Ｃａから取り外した後、アタッチメントである四つ折りガイド６及び三つ巻きガイド７、筒巻きガイド８の何れか一つに交換することもできる。
【００３５】
以上のように、四つ折りガイド６及び三つ巻きガイド７、筒巻きガイド８等の様々なタイプのアタッチメントが取付けられるアタッチメント取付け具１を、取付け部材２側に設けた一対の押付け部２ｂ，２ｃで家庭用ミシンＣの布地送り台Ｃａに対して着脱可能に挟持固定するので、アタッチメント取付け具１を固定するための孔部を布地送り台Ｃａや針板Ｃｂに設けるか、取付け可能な構造に設計変更する必要が無く、アタッチメント取付け具１の着脱作業が簡単且つ容易に行える。且つ、四つ折りガイド６及び三つ巻きガイド７、筒巻きガイド８等の所望する縫い方にガイドされる複数タイプのアタッチメントの中から、所望する縫い方に応じたタイプのアタッチメントを選択して交換するので、一つの家庭用ミシンＣを、例えば四つ折り縫いや三つ巻き縫い、筒巻き縫い等の様々な縫製作業に用いることができる。
【００３６】
図９は、支持部材３の基端部と遊端部とを水平回動自在に連結したアタッチメント取付け具１の他の例を示し、支持部材３の基端側及び遊端側の連結部を中心として、支持部材３の遊端部に取付けられた何れか一つの四つ折りガイド６及び三つ巻きガイド７、筒巻きガイド８を所望する角度に回動調節することができる。また、支持部材４を水平回動自在に連結することもできる。
【００３７】
この発明の構成と、上述の実施例との対応において、  
この発明のアタッチメントは、実施例の四つ折りガイド６及び三つ巻きガイド７、筒巻きガイド８に対応し、  
以下同様に、  
固定手段は、取付け部材２を構成する一対の押付け部２ｂ，２ｃと、回動部材２ｆと、ネジ部２ｇとに対応するも、  
この発明は、上述の実施例の構成のみに限定されるものではない。
【００３８】
上述の四つ折りガイド６及び三つ巻きガイド７、筒巻きガイド８の他にも、例えばステッチ縫い、縁かがり縫い等の所望する縫い方に応じたアタッチメントに交換することもできる。
【産業上の利用可能性】
【００３９】
この発明のアタッチメント取付け具１は、例えばステッチ縫いや縁かがり縫い等の縫い方に応じたアタッチメントに交換するだけで、実施例以外の縫い方にも用いることができる。
【図面の簡単な説明】
【００４０】
【図１】アタッチメント取付け具の取付け状態を示す斜視図。
【図２】アタッチメント取付け具の全体構造を示す平面図。
【図３】四つ折りガイドによる折り込み状態を示す斜視図。
【図４】布地の四つ折り状態を示す断面図。
【図５】三つ巻きガイドの取付け状態を示す平面図。
【図６】布地の三つ巻き状態を示す断面図。
【図７】筒巻きガイドの取付け状態を示す平面図。
【図８】布地の筒巻き状態を示す断面図。
【図９】アタッチメント取付け具の他の取付け例を示す平面図。
【符号の説明】
【００４１】
Ａ，Ｂ…布地
Ｃ…家庭用ミシン
Ｃａ…布地送り台
１…アタッチメント取付け具
２…取付け部材
２ｂ，２ｃ…押付け部
２ｆ…回動部材
３，４…支持部材
５…幅寄せガイド
６…四つ折りガイド
７…三つ巻きガイド
８…筒巻きガイド
【図１】
2005118078.tif 000003
【図２】
2005118078.tif 000004
【図３】
2005118078.tif 000005
【図４】
2005118078.tif 000006
【図５】
2005118078.tif 000007
【図６】
2005118078.tif 000008
【図７】
2005118078.tif 000009
【図８】
2005118078.tif 000010
【図９】
2005118078.tif 000011